(57)【特許請求の範囲】
【請求項１】
入力データを所定の信号処理方式に規定される複数のパックにリアルタイムでパック化し、当該複数のパックを所定時間内に再生されるべきパック列としてユニット内に格納し、１以上のユニットにてデータセルを構成し、１以上のデータセルを配列してオブジェクトを構成すると共に、前記ユニットの前記パック列の先頭には所定の検索情報を有する検索情報パックを配置し、当該検索情報は前記オブジェクト内の少なくともデータ再生終了時間及びデータセル識別番号を含み、１以上のオブジェクトからなるオブジェクトセットを生成するデータ生成方法において、
前記検索情報パック内に格納される前記ユニットのデータセル識別番号を、予め指定した１データセルの単位記録時間と実際の記録時間とに基づいて、前記入力データのパック化と共にリアルタイムで設定することを特徴とするデータ生成方法。
【請求項２】
入力データを所定の信号処理方式に規定される複数のパックにリアルタイムでパック化し、当該複数のパックを所定時間内に再生されるべきパック列としてユニット内に格納し、１以上のユニットにてデータセルを構成し、１以上のデータセルを配列してオブジェクトを構成すると共に、前記ユニットの前記パック列の先頭には所定の検索情報を有する検索情報パックを配置し、当該検索情報は前記オブジェクト内の少なくともデータ再生終了時間を含み、１以上のオブジェクトからなるオブジェクトセットを生成するデータ生成方法において、
前記検索情報パック内に格納される前記データ再生終了時間を、予め指定した信号処理時間に基づいて、前記入力データのパック化と共にリアルタイムで設定することを特徴とするデータ生成方法。
【請求項３】
入力データを所定の信号処理方式に規定される複数のパックにリアルタイムでパック化し、当該複数のパックを所定時間内に再生されるべきパック列としてユニット内に格納し、１以上のユニットにてデータセルを構成し、１以上のデータセルを配列してオブジェクトを構成すると共に、前記ユニットの前記パック列の先頭には所定の検索情報を有する検索情報パックを配置し、当該検索情報は前記オブジェクト内の少なくともデータ再生終了時間及び１つ若しくは複数のリファレンス情報の終了アドレスを含み、１以上のオブジェクトからなるオブジェクトセットを生成するデータ生成方法において、
前記検索情報パック内に格納される前記１つ若しくは複数のリファレンス情報の終了アドレスを、予め指定したリファレンス情報終了予定サイズに基づいて、前記入力データのパック化と共にリアルタイムで設定することを特徴とするデータ生成方法。
【請求項４】
入力データを所定の信号処理方式に規定される複数のパックにリアルタイムでパック化し、当該複数のパックを所定時間内に再生されるべきパック列としてユニット内に格納し、１以上のユニットにてデータセルを構成し、１以上のデータセルを配列してオブジェクトを構成すると共に、前記ユニットの前記パック列の先頭には所定の検索情報を有する検索情報パックを配置し、当該検索情報は前記オブジェクト内の少なくともデータ再生終了時間及びデータセル識別番号を含み、１以上のオブジェクトからなるオブジェクトセットを生成するデータ生成装置において、
前記検索情報パック内に格納される前記ユニットのデータセル識別番号を、予め指定した１データセルの単位記録時間と実際の記録時間とに基づいて、前記入力データのパック化と共にリアルタイムで設定するデータセル識別番号設定手段を有することを特徴とするデータ生成装置。
【請求項５】
入力データを所定の信号処理方式に規定される複数のパックにリアルタイムでパック化し、当該複数のパックを所定時間内に再生されるべきパック列としてユニット内に格納し、１以上のユニットにてデータセルを構成し、１以上のデータセルを配列してオブジェクトを構成すると共に、前記ユニットの前記パック列の先頭には所定の検索情報を有する検索情報パックを配置し、当該検索情報は前記オブジェクト内の少なくともデータ再生終了時間を含み、１以上のオブジェクトからなるオブジェクトセットを生成するデータ生成装置において、
前記検索情報パック内に格納される前記データ再生終了時間を、予め指定した信号処理時間に基づいて、前記入力データのパック化と共にリアルタイムで設定する信号処理時間設定手段を有することを特徴とするデータ生成装置。
【請求項６】
入力データを所定の信号処理方式に規定される複数のパックにリアルタイムでパック化し、当該複数のパックを所定時間内に再生されるべきパック列としてユニット内に格納し、１以上のユニットにてデータセルを構成し、１以上のデータセルを配列してオブジェクトを構成すると共に、前記ユニットの前記パック列の先頭には所定の検索情報を有する検索情報パックを配置し、当該検索情報は前記オブジェクト内の少なくともデータ再生終了時間及び１つ若しくは複数のリファレンス情報の終了アドレスを含み、１以上のオブジェクトからなるオブジェクトセットを生成するデータ生成装置において、
前記検索情報パック内に格納される前記１つ若しくは複数のリファレンス情報の終了アドレスを、予め指定したリファレンス情報終了予定サイズに基づいて、前記入力データのパック化と共にリアルタイムで設定するリファレンス情報終了アドレス設定手段を有することを特徴とするデータ生成装置。
【発明の詳細な説明】
【０００１】
【発明の属する技術分野】
本発明は、特殊再生が可能なデータを検索して再生する際に使用される検索情報を、少なくとも１回の記録が可能な記録媒体に記録可能とするためのデータ生成方法及び装置に関し、特に、記録媒体に記録されるデータのエンコードと同時に検索情報を生成して記録することを実現させるためのデータ生成方法及び装置に関する。
【０００２】
【従来の技術】
一般に知られている長時間に亘るビデオデータを高密度に記録可能とし、特殊再生が可能なデータをナビゲートするナビゲーションデータを備えたデータを記録した光ディスクとして、近年は、いわゆるＤＶＤ−ＶＩＤＥＯが商品化されている。このような光ディスクは、ＲＯＭと呼ばれており、ディスクにデータを記録することができない。このような観点から、特殊再生が可能なデータをナビゲートするナビゲーションデータを備えたデータを記録可能な光ディスクとして、近年は、いわゆるＤＶＤ−Ｒ、ＤＶＤ−ＲＷ、ＤＶＤ−ＲＡＭと呼ばれているものなどが既に商品化されている。
【０００３】
また、最近では、動画に対するデータ圧縮方式がＭＰＥＧ（Moving Picture Image Coding Expert Group）方式として国際標準化されるに至っている。このＭＰＥＧ方式は、映像データを可変圧縮する方式として知られている。このＭＰＥＧ方式には、ＭＰＥＧ２と呼ばれる圧縮方式が規定されており、このＭＰＥＧ２では、動画データ、音声データを同期して転送、且つ再生できるように、それぞれのデータを基準時刻を用いて表現した転送開始時刻と再生時刻を設定することが規定されている。
【０００４】
【発明が解決しようとする課題】
ところで、これらの転送開始時刻や再生開始時刻の情報だけでは、通常再生には問題がないものの、早送りや巻き戻し再生、ランダム再生等の特殊再生や、インタラクティブ性をシステムに持たせる等の再生処理が困難であることが指摘されている。
【０００５】
このようなことから、特殊再生が可能なデータ（例えばビデオデータやオーディオデータなど）を検索して再生する際に使用される検索情報を、予め光ディスクに記録しておき、再生時においてこの検索情報を参照することで、その特殊再生を可能にするような再生方法等が各種提案されている。
【０００６】
しかしながら、検索情報の内容は、光ディスクに記録されることになるビデオデータやオーディオデータのような特殊再生が可能なデータをエンコードして最終的に全ての記録データを生成した後でなければ決定することが出来ず、また、その検索情報は、全ての記録データを光ディスクに記録した後に記録されることになるため、例えばビデオデータやオーディオデータの記録を行った直後に特殊再生を行うことは出来ない。
【０００７】
本発明は、上述の課題に鑑みてなされたものであり、特殊再生が可能なデータを検索して再生するために使用される検索情報を、記録データのエンコードを行いつつリアルタイムに作成すると共に記録媒体に記録可能とするためのデータ生成方法及び装置の提供を目的とする。
【０００８】
【課題を解決するための手段】
本発明に係るデータ生成方法は、上述の課題を解決するために、
入力データを所定の信号処理方式に規定される複数のパックにリアルタイムでパック化し、当該複数のパックを所定時間内に再生されるべきパック列としてユニット内に格納し、１以上のユニットにてデータセルを構成し、１以上のデータセルを配列してオブジェクトを構成すると共に、前記ユニットの前記パック列の先頭には所定の検索情報を有する検索情報パックを配置し、当該検索情報は前記オブジェクト内の少なくともデータ再生終了時間及びデータセル識別番号を含み、１以上のオブジェクトからなるオブジェクトセットを生成するデータ生成方法において、
前記検索情報パック内に格納される前記ユニットのデータセル識別番号を、予め指定した１データセルの単位記録時間と実際の記録時間とに基づいて、前記入力データのパック化と共にリアルタイムで設定することを特徴とする、
ものである。
【０００９】
また、本発明に係るデータ生成方法は、上述の課題を解決するために、
入力データを所定の信号処理方式に規定される複数のパックにリアルタイムでパック化し、当該複数のパックを所定時間内に再生されるべきパック列としてユニット内に格納し、１以上のユニットにてデータセルを構成し、１以上のデータセルを配列してオブジェクトを構成すると共に、前記ユニットの前記パック列の先頭には所定の検索情報を有する検索情報パックを配置し、当該検索情報は前記オブジェクト内の少なくともデータ再生終了時間を含み、１以上のオブジェクトからなるオブジェクトセットを生成するデータ生成方法において、
前記検索情報パック内に格納される前記データ再生終了時間を、予め指定した信号処理時間に基づいて、前記入力データのパック化と共にリアルタイムで設定することを特徴とする、
ものである。
【００１０】
さらに、本発明に係るデータ生成方法は、上述の課題を解決するために、
入力データを所定の信号処理方式に規定される複数のパックにリアルタイムでパック化し、当該複数のパックを所定時間内に再生されるべきパック列としてユニット内に格納し、１以上のユニットにてデータセルを構成し、１以上のデータセルを配列してオブジェクトを構成すると共に、前記ユニットの前記パック列の先頭には所定の検索情報を有する検索情報パックを配置し、当該検索情報は前記オブジェクト内の少なくともデータ再生終了時間及び１つ若しくは複数のリファレンス情報の終了アドレスを含み、１以上のオブジェクトからなるオブジェクトセットを生成するデータ生成方法において、
前記検索情報パック内に格納される前記１つ若しくは複数のリファレンス情報の終了アドレスを、予め指定したリファレンス情報終了予定サイズに基づいて、前記入力データのパック化と共にリアルタイムで設定することを特徴とする、
ものである。
【００１１】
一方、本発明に係るデータ生成装置は、上述の課題を解決するために、
入力データを所定の信号処理方式に規定される複数のパックにリアルタイムでパック化し、当該複数のパックを所定時間内に再生されるべきパック列としてユニット内に格納し、１以上のユニットにてデータセルを構成し、１以上のデータセルを配列してオブジェクトを構成すると共に、前記ユニットの前記パック列の先頭には所定の検索情報を有する検索情報パックを配置し、当該検索情報は前記オブジェクト内の少なくともデータ再生終了時間及びデータセル識別番号を含み、１以上のオブジェクトからなるオブジェクトセットを生成するデータ生成装置において、
前記検索情報パック内に格納される前記ユニットのデータセル識別番号を、予め指定した１データセルの単位記録時間と実際の記録時間とに基づいて、前記入力データのパック化と共にリアルタイムで設定するデータセル識別番号設定手段を有することを特徴とする、
ものである。
【００１２】
また、本発明に係るデータ生成装置は、上述の課題を解決するために、
入力データを所定の信号処理方式に規定される複数のパックにリアルタイムでパック化し、当該複数のパックを所定時間内に再生されるべきパック列としてユニット内に格納し、１以上のユニットにてデータセルを構成し、１以上のデータセルを配列してオブジェクトを構成すると共に、前記ユニットの前記パック列の先頭には所定の検索情報を有する検索情報パックを配置し、当該検索情報は前記オブジェクト内の少なくともデータ再生終了時間を含み、１以上のオブジェクトからなるオブジェクトセットを生成するデータ生成装置において、
前記検索情報パック内に格納される前記データ再生終了時間を、予め指定した信号処理時間に基づいて、前記入力データのパック化と共にリアルタイムで設定する信号処理時間設定手段を有することを特徴とする、
ものである。
【００１３】
さらに、本発明に係るデータ生成装置は、上述の課題を解決するために、
入力データを所定の信号処理方式に規定される複数のパックにリアルタイムでパック化し、当該複数のパックを所定時間内に再生されるべきパック列としてユニット内に格納し、１以上のユニットにてデータセルを構成し、１以上のデータセルを配列してオブジェクトを構成すると共に、前記ユニットの前記パック列の先頭には所定の検索情報を有する検索情報パックを配置し、当該検索情報は前記オブジェクト内の少なくともデータ再生終了時間及び１つ若しくは複数のリファレンス情報の終了アドレスを含み、１以上のオブジェクトからなるオブジェクトセットを生成するデータ生成装置において、
前記検索情報パック内に格納される前記１つ若しくは複数のリファレンス情報の終了アドレスを、予め指定したリファレンス情報終了予定サイズに基づいて、前記入力データのパック化と共にリアルタイムで設定するリファレンス情報終了アドレス設定手段を有することを特徴とする、
ものである。
【００１４】
【発明の実施の形態】
以下、図面を参照して本発明の実施の形態の説明を行う。
【００１５】
図１には、本発明のデータ生成方法及び装置の一実施の形態が適用される記録装置として、例えば１回の記録或いは複数回の書き換えが可能なディジタルビデオディスク或いはディジタルバーサタイルディスク（ＤＶＤ）である光ディスク１０にビデオデータ（主映像データ）及びオーディオデータを記録し、再生する光ディスク記録再生装置１２の概略構成を示す。
【００１６】
また、図２には、図１に示された光ディスク１０をドライブするディスクドライブ部の具体的な構成を示し、図３には、図１及び図２に示した光ディスク１０の具体的な構造を示している。
【００１７】
本発明の第１の実施の形態が適用された光ディスク記録再生装置１２は、特殊再生が可能なデータを検索して再生するために使用される検索情報、すなわち例えばビデオデータ（主映像データ）やオーディオデータのような特殊再生が可能なデータをナビゲートするための後述するナビゲーションデータを、それらビデオデータやオーディオデータのエンコードを行いつつリアルタイムに作成して光ディスク１０に記録することで、ビデオデータやオーディオデータの記録終了後、直ちにその記録したデータを特殊再生することを可能とするため、後述するように、セルＩＤ情報処理部６５においてセルの記録可能時間（単位記録時間）を設定すると共に当該セル記録可能時間情報（当該セル単位記録時間情報）と録画経過時間を比較しながらセル識別番号としてナビゲーションデータの一つであるセル識別番号を設定すること、また、エンコード時間情報処理部６６において予めエンコード時間を設定し、そのエンコード時間に基づいてナビゲーションデータの一つであるビデオデータ及びオーディオデータの再生終了時間を設定すること、さらに、後述するように、ビデオエンコード情報生成部８１において予めリファレンスピクチャ終了予定サイズを設定し、そのリファレンスピクチャ終了予定サイズに基づいて、ナビゲーションデータの一つである１つ若しくは複数のリファレンスピクチャの終了アドレスを設定するようにしているが、ここでは、そのようなビデオデータやオーディオデータの記録終了直後の特殊再生を実現可能とするための構成及び内容の説明を行う前に、先ず、本発明実施の形態が適用された光ディスク記録再生装置１２の概略的な構成及び動作を説明し、さらに光ディスク１０の論理フォーマットの詳細を説明する。
【００１８】
図１に示すように本発明実施の形態が適用された光ディスク記録再生装置１２は、キー操作及び表示部４、モニター部６及びスピーカー部８を具備している。ここで、ユーザがキー操作及び表示部４を操作して、データの記録や再生を指示することによって光ディスク１０に対してデータが記録され、また、この光ディスク１０からその記録データが再生される。
【００１９】
入力されたアナログのビデオ信号及び後述する副映像信号、オーディオ信号は、ディジタル変換によりビデオデータ（主映像データ）及び副映像データ、オーディオデータに変換される。これらビデオデータ及び副映像データ、オーディオデータは、それぞれ圧縮符号化され、記録データとなされて光ディスク１０に記録される。なお、図１の構成例では、主映像データであるビデオデータと共に副映像データも記録することにしているが、副映像データは必ずしも記録する必要はない。
【００２０】
一方、光ディスク１０から再生された再生データは、圧縮符号化されたビデオデータ及びオーディオデータ、副映像データであり、これら圧縮符号化されたデータはそれぞれ伸張復号化された後、アナログ変換され、ビデオ信号及びオーディオ信号、副映像信号としてモニタ部６やスピーカ部８に送られる。モニタ部６はビデオ信号に応じた映像を表示し、スピーカ部８はオーディオ信号に応じた音声を発生している。
【００２１】
既に知られるように光ディスク１０は、種々の構造がある。この光ディスク１０は、高密度でデータが１回のみ記録、或いは複数回の書き換えが可能なディスクであり、例えば図３に示すような構造を有している。
【００２２】
この図３に示されるように光ディスク１０は、一対の複合層１８とこの複合ディスク層１８間に介挿された接着層２０とから構成されている。この各複合ディスク層１８は、透明基板１４及び記録層１６から構成されている。記録層１６は、１回のみ記録、或いは複数回の書き換えが可能な層となされている。各複合ディスク層１８は、記録層１６が接着層２０の面上に接触するように配置される。
【００２３】
また、この光ディスク１０には、中心孔２２が設けられ、その両面の中心孔２２の周囲には、この光ディスク１０をその回転時に押さえる為のクランピング領域２４が設けられている。中心孔２２には、光ディスク記録再生装置１２にディスク１０が装填された際に図２に示されたスピンドルモータ１３のスピンドル軸が挿入され、ディスクが回転される間、光ディスク１０は、そのクランピング領域２４でクランプされる。
【００２４】
さらに、図３に示すように、光ディスク１０は、その両面のクランピング領域２４の周囲に、情報を記録することができる情報領域２５を有している。各情報領域２５の外周領域はリードアウト領域２６となされ、また、クランピング領域２４に接するその内周領域はリードイン領域２７となされている。更に、このリードアウト領域２６とリードイン領域２７との間がデータ記録領域２８に定められている。
【００２５】
前記した光ディスク記録再生装置１２は、図１に示されるように更にディスクドライブ部３０、システムＣＰＵ部５０、システム用ＲＯＭ・ＲＡＭ部５２、システムプロッセッサ部５４、データＲＡＭ部５６、ビデオデコーダ部５８、オーディオデコーダ部６０、副映像デコーダ部６２、Ｄ／Ａ及びデータ再生処理部６４、ビデオエンコーダ部６７、オーディオエンコーダ部６８、副映像エンコーダ部６９及びＡ／Ｄ処理部６３を有し、更に、それぞれ後述するセルＩＤ（セル識別情報）情報処理部６５及びビデオエンコード情報生成部８１、エンコード時間情報処理部６６を具備して構成されている。なお、エンコード情報処理部５９については後述する第２の実施の形態にて説明するが、当該エンコード情報処理部５９は、キー操作及び表示部４から入力される、ビデオ、オーディオ、副映像（文字などの副情報）のビットレートを格納するところである。例えばビデオのビットレートについては数値で入力する場合と、表示部における画質モードとして高画質モード（高ビットレート）、普通画質モード、長時間モード（低ビットレート）の何れかの画質モードの選択という形式で入力する場合とが考えられる。エンコード情報処理部５９では、これら画質モードが入力（選択）された場合は、それら画質モードを実際のビットレート変換することを行う。
【００２６】
システムプロッセッサ部５４は、システムタイムクロック（ＳＴＣ）５４Ａ及びレジスタ５４Ｂ、後述するパック生成処理部５４Ｃを備え、また、ビデオデコータ部５８、オーディオデコーダ部６０及び副映像デコーダ部６２、ビデオエンコーダ部６７、オーディオエンコーダ部６８、副映像エンコーダ部６９は、同様にシステムタイムクロック（ＳＴＣ）５８Ａ、６０Ａ、６２Ａ、６７Ａ、６８Ａ、６９Ａを備えている。
【００２７】
図２に示すようにディスクドライブ部３０は、モータドライブ回路１１、スピンドルモータ１３、光学ヘッド３２、フィードモータ３３、フォ―カス回路３６、フィードモータ駆動回路３７、トラッキング回路３８、ヘッドアンプ４０及びサーボ処理回路４４を具備している。
【００２８】
光ディスク１０は、モータ駆動回路１１によって駆動されるスピンドルモータ１３上に載置され、このスピンドルモータ１３によって回転される。光ディスク１０にレーザビームを照射する光学ヘッド３２が光ディスク１０の下に置かれている。
【００２９】
図１に示されるシステムＣＰＵ部５０からは、アクセス信号としての制御信号がサーボ処理回路４４に供給される。この制御信号に応答してサーボ処理回路４４からヘッド移動信号がフィードモータ駆動回路３７に供給されてこの回路３７が駆動信号をフィードモータ３３に供給することとなる。従って、フィードモータ３３が駆動され、光ヘッド３２が光ディスク１０の半径方向に沿って移動される。
【００３０】
光ディスク１０に対するデータ記録時には、ビデオ入力端子５５からのアナログビデオ信号及び副映像信号とオーディオ入力端子５３からのアナログオーディオ信号がＡ／Ｄ処理部６３に送られ、ここでディジタル変換される。
【００３１】
このＡ／Ｄ処理部６３からのビデオデータ及び副映像データ、オーディオデータは、それぞれ対応するビデオエンコーダ部６７、オーディオエンコーダ部６８、副映像エンコーダ部６９において、エンコード情報処理部５９からのビットレート（Bit Rate）情報に基づいた圧縮符号化、及び、誤り訂正符号の付加等からなるエンコード処理が施され、システムプロセッサ部５４に送られる。なお、この場合のエンコード情報処理部５９からのビットレート（Bit Rate）情報は、ビデオオブジェクトのビットレートを指す。厳密に定義すると、ビデオオブジェクトのビットレートは、ビデオ、オーディオ、副映像及びナビゲーションデータのそれぞれのビットレートの総和となる。ビデオデータについては、いわゆるＭＰＥＧ２により圧縮符号化し、副映像データについてはいわゆるランレングス符号化にて圧縮し、オーディオデータについてはいわゆるＡＣ−３やリニアＰＣＭ等にて符号化する。
【００３２】
これらそれぞれエンコード処理されたビデオデータ及び副映像データ、オーディオデータは、システム用ＲＯＭ・ＲＡＭ部５２に記録されたプログラムで制御されるシステムＣＰＵ部５０の管理の下で、システムプロセッサ部５４によりマルチプレクスされて記録データとなされる。
【００３３】
その記録データは、一旦データＲＡＭ部５６に格納された後に読み出され、ディスクドライブ部３０のヘッドアンプ４０に送られる。
【００３４】
光学ヘッド３２は、ヘッドアンプ４０からの記録データに応じて駆動され、これにより光ディスク１０への記録が行われる。
【００３５】
この光ディスク１０からのデータ再生時には、光学ヘッド３２によって光ディスク１０の記録層１６に形成された所定のセクタがアクセスされる。このときの再生データは、その所定のセクタから再生されて光学ヘッド３２からヘッドアンプ４０に供給され、このヘッドアンプ４０で増幅され、ディスクドライブ部３０から出力される。
【００３６】
出力された再生データは、システム用ＲＯＭ・ＲＡＭ部５２に記録されたプログラムで制御されるシステムＣＰＵ部５０の管理下でシステムプロセッサ部５４によってデータＲＡＭ部５６に格納される。
【００３７】
この格納された再生データは、システムプロセッサ部５４によって処理されてビデオデータ及び副映像データ、オーディオデータに分類され、ビデオデータ及び副映像データ、オーディオデータは、それぞれビデオデコーダ部５８、オーディオデコーダ部６０及び副映像デコーダ部６２に出力される。
【００３８】
ビデオデコーダ部５８、オーディオデコーダ部６０及び副映像デコーダ部６２では、誤り訂正処理や伸張復号化等からなるデコード処理を、それら各データに施す。
【００３９】
デコード処理がなされたビデオデータ及び副映像データ、オーディオデータは、Ｄ／Ａ及びデータ再生処理回路６４でアナログ信号としてのビデオ信号及び副映像信号、オーディオ信号に変換されるとともにビデオ信号がモニタ６に、また、オーディオ信号がスピーカ部８にそれぞれ供給される。その結果、ビデオ信号及び副映像信号によってモニタ部６に映像が表示されるとともにオーディオ信号によってスピーカ部８から音声が再現される。
【００４０】
なお、図１に示した光ディスク記録再生装置１２の詳細な動作、更にセルＩＤ情報処理部６５とエンコード時間情報処理部６６、ビデオエンコード情報生成部８１、パック生成処理部５４Ｃの詳細な動作については、次に説明する光ディスク１０の論理フォーマットを参照して後により詳細に説明する。
【００４１】
図３に示される光ディスク１０のリードイン領域２７からリードアウト領域２６までのデータ記録領域２８には、図４に示されるようなボリューム及びファイル構造にて記録がなされる。この構造は、論理フォーマットとして特定の規格、例えば、マイクロＵＤＦ（micro UDF ）及びＩＳＯ９６６０に準拠されて定められている。
【００４２】
データ記録領域２８は、既に説明したように記録時において物理的に複数のセクタに分割されて記録がなされ、その物理的セクタには、連続番号が付される。下記の説明で論理アドレスは、マイクロＵＤＦ（micro UDF ）及びＩＳＯ９６６０で定められるように論理セクタ番号（ＬＳＮ）を意味し、論理セクタは、物理セクタのサイズと同様に２０４８バイトであり、論理セクタの番号（ＬＳＮ）は、物理セクタ番号の昇順とともに連続番号が付加される。
【００４３】
図４に示されるように、このボリューム及びファイル構造は、階層構造を有し、ボリューム及びファイル構造領域７０、ビデオマネージャー７１、少なくとも１以上のビデオタイトルセット７２及び他の記録領域７３が配される。これら領域は、論理セクタの境界上で区分されることになる。ここで、従来のＣＤ−ＲＯＭと同様に１論理セクタは、２０４８バイトと定義されている。同様に、１論理ブロックも２０４８バイトと定義され、したがって１論理セクタは、１論理ブロックと定義される。なお、ビデオタイトルセット７２には、圧縮されたビデオデータ及び副映像データ、オーディオデータ及びこれらの再生情報が格納され、同様に複数のファイルから構成される。
【００４４】
ファイル構造領域７０は、マイクロＵＤＦ及びＩＳＯ９６６０に定められる管理領域に相当し、この領域の記述を介してビデオマネージャー７１がシステム用ＲＯＭ・ＲＡＭ部５２に格納される。
【００４５】
このビデオマネージャー７１には、図５を参照して説明するようにビデオタイトルセットを管理する情報が記述され、ファイル＃０から始まる複数のファイル７４から構成される。
【００４６】
ここで、図６を参照してビデオオブジェクトセット（ＶＯＢＳ）８２の構造について説明する。図６は、ビデオオブジェクトセット（ＶＯＢＳ）８２の一例を示している。
【００４７】
このビデオオブジェクトセット（ＶＯＢＳ）８２には、２つのメニュー用及びタイトル用として３つのタイプのビデオオブジェクトセット（ＶＯＢＳ）７６、９５、９６がある。すなわち、ビデオオブジェクトセット（ＶＯＢＳ）８２は、ビデオタイトルセット（ＶＴＳ）７２中にビデオタイトルセットのメニュー用ビデオオブジェクトセット（ＶＴＳＭ＿ＶＯＢＳ）９５及び少なくとも１つ以上のビデオタイトルセットのタイトルの為のビデオオブジェクトセット（ＶＴＳＴＴ＿ＶＯＢＳ）９６があり、いずれのビデオオブジェクトセット８２もその用途が異なるのみで同様の構造を有している。
【００４８】
図６に示すようにビデオオブジェクトセット（ＶＯＢＳ）８２は、１個以上のビデオオブジェクト（ＶＯＢ）８３の集合として定義され、ビデオオブジェクトセット（ＶＯＢＳ）８２中のビデオオブジェクト８３は、同一の用途に供される。通常、メニュー用のビデオオブジェクトセット（ＶＯＢＳ）８２は、１つのビデオオブジェクト（ＶＯＢ）８３で構成され、複数のメニュー用の画面を表示するデータが格納される。
【００４９】
これに対してタイトルセット用のビデオオブジェクトセット（ＶＴＳＴＴ＿ＶＯＢＳ）８２は、通常、複数のビデオオブジェクト（ＶＯＢ）８３で構成される。なお、ビデオオブジェクト（ＶＯＢ）８３は、通常の１ストーリの映画では、１ビデオオブジェクト（ＶＯＢ）８３が１ビデオオブジェクトセット（ＶＯＢＳ）８２に相当し、１ビデオストリームが１ビデオオブジェクトセット（ＶＯＢＳ）８２で完結することとなる。
【００５０】
ビデオオブジェクト（ＶＯＢ）８３には、識別番号（ＩＤＮ j）が付され、この識別番号によってそのビデオオブジェクト（ＶＯＢ）８３を特定することができる。
【００５１】
ビデオオブジェクト（ＶＯＢ）８３は、１又は複数のセル（データセル）８４から構成される。ここで、セルとは、再生されるコンテンツの基本単位であり、一つのセルを一つのビデオタイトルセット（ＶＴＳ）内の異なるプログラムチェーン（ＰＧＣ）で用いることができる。一つのセルは整数個のビデオオブジェクトユニット（ＶＯＢＵ）で構成されなければならない。プログラムチェーン（ＰＧＣ）はセルを再生順に指定するリストを持つ。通常のビデオストリームは、複数のセルから構成されることとなるが、メニュー用のビデオストリーム、すなわち、ビデオオブジェクト（ＶＯＢ）８３は、１つのセル８４から構成される場合もある。
【００５２】
セルには、セル識別番号（Ｃ＿ＩＤＮ j）が付され、このセル識別番号（セルＩＤ番号、Ｃ＿ＩＤＮ j）によってセル８４が特定される。すなわち、このセル識別番号は、ビデオオブジェクト（ＶＯＢ）内のセルの付与される連続番号である。ビデオオブジェクト（ＶＯＢ）内で、セルの先頭論理ブロック番号（ＬＢＮ）が最小のセルを１として２５５までとなる。セル識別番号はビデオオブジェクトＩＤ番号（ＶＯＢ＿ＩＤＮ）と共に、データサーチ情報（ＤＳＩ）及びプログラムチェーン情報（ＰＧＣＩ）内に記述される。
【００５３】
図６に示すように各セル８４は、１又は複数のビデオオブジェクトユニット（ＶＯＢＵ）８５、通常は、複数のビデオオブジェクトユニット（ＶＯＢＵ）８５から構成される。
【００５４】
ここで、ビデオオブジェクトユニット（ＶＯＢＵ）８５は、１つのナビゲーションパック（ＮＡＶパック）８６を先頭に有するパック列として定義される。すなわち、ビデオオブジェクトユニット（ＶＯＢＵ）８５は、あるナビゲーションパック８６から次のナビゲーションパックの直前まで記録される全パックの集まりとして定義される。このビデオオブジェクトユニット（ＶＯＢＵ）８５の再生時間は、ビデオオブジェクトユニット（ＶＯＢＵ）８５中に含まれる単数又は複数個のＧＯＰから構成されるビデオデータの再生時間に相当し、その再生時間は、０．４秒以上であって１秒より大きくならないように定められる。ＭＰＥＧでは、１ＧＯＰは、通常０．５秒であってその間に１５枚程度の画像が再生する為の圧縮された画面データであると定められている。
【００５５】
上述したように、本発明実施の形態が適用された光ディスク記録再生装置１２において入力されたビデオデータ（主映像データ）や副映像データ、オーディオデータ等を光ディスク１０に記録する場合には、それら入力されたビデオデータをＭＰＥＧ２にて定められたパックに圧縮し、また、副映像データをランレングス符号化にて定められたパックに圧縮し、オーディオデータについてはいわゆるＡＣ−３やリニアＰＣＭ等にて符号化し、所定時間内に再生されるべきパック列としてビデオオブジェクトユニット８５内に格納するようにしている。また、ビデオオブジェクトユニット８５は、パック列の先頭に配置されるナビゲーションパック８６を含み、多数のビデオオブジェクト（ＶＯＢ）が配列されてデータセルが構成され、さらに多数のデータセルが配列されて、ビデオオブジェクト（ＶＯＢ）が構成されている。また、ナビゲーションパック８６には、ビデオオブジェクトユニット８５を再生するための再生情報及び他のビデオオブジェクトユニット８５をサーチするためのサーチ情報等が記述されている。
【００５６】
ところで、このナビゲーションパック８６にはビデオオブジェクトユニット８５が属しているデータセルのＩＤ番号（セル識別番号）を設定することになるが、ビデオオブジェクトユニット８５が属しているデータセルのセル識別番号は、例えばビデオデータとオーディオデータをリアルタイムでエンコードしながらパックを生成していくと、セルの数が不足するようなことが起こり、したがって、リアルタイム記録することが困難となっている。
【００５７】
そこで、本発明の第１の実施の形態が適用された光ディスク記録再生装置１２では、パック化を行う場合に、セルＩＤ情報処理部６５において、キー操作及び表示部４からのキー操作入力に基づいてセルの記録可能時間（単位記録時間）を設定すると共に当該セル記録可能時間情報（当該セル単位記録時間情報）と時計部５１からの録画経過時間を比較しながらセル識別番号を出力し、パック生成処理部５４Ｃにおいて、ナビゲーションパック８６内のビデオオブジェクトユニット８５のセル識別番号を設定するようにしている。すなわち、セルＩＤ情報処理部６５では、キー操作及び表示部４からのキー操作入力に基づいて１セル当たりの容量（セル単位記録時間）とビデオオブジェクトユニット８５の内のセルの総数を予め設定する。この際、セルの総数を示すためにセル識別番号を、セル記録可能時間情報（セル単位記録時間情報）と録画経過時間とに基づいて生成している。また、パック生成処理部５４Ｃでは、セルＩＤ情報処理部６５にて設定されたセル識別番号に基づいて、ナビゲーションパック８６内のビデオオブジェクトユニット８５の内のセル識別番号を設定する。
【００５８】
このような方法によれば、ビデオ及びオーディオをリアルタイムでエンコードしながら、ビデオオブジェクトユニットを再生するための再生情報及び他のビデオオブジェクトユニットをサーチするのに必要なサーチ情報をパック化して同時に光ディスク１０に記録可能となる。
【００５９】
すなわち、本発明の第１の実施の形態が適用された光ディスク記録再生装置１２によれば、ビデオデータ及びオーディオデータをリアルタイムでエンコードしながら、ビデオオブジェクトユニット８５を再生するための再生情報及び他のビデオオブジェクトユニット８５をサーチするのに必要なサーチ情報をパック化し、同時に光ディスク１０に記録できるため、記録が終了した直後に必要な情報をサーチし再生することが可能となる。また、圧縮符号化終了時間を記憶しておくメモリも節約することができる。
【００６０】
なお、キー操作及び表示部４によるセル記録可能時間（セル単位記録時間）の設定例としては、例えば、所定のキーを１回押す毎に１分、２分、３分、・・・・のように、順次増加するような設定例を考えることが可能である。また、例えば、キー操作及び表示部４が０〜９までの１０個のキーからなるいわゆる１０キーを備えている場合には、当該１０キーによって任意のセル記録可能時間（セル単位記録時間）を設定するようなことも可能である。
【００６１】
また、ナビゲーションパック８６には、ビデオオブジェクトユニット８５を再生するための再生制御情報（ＰＣＩ）及び他のビデオオブジェクトユニット８５をサーチするためのデータサーチ情報（ＤＳＩ）が記述され、したがってこのナビゲーションパック８６には、ビデオオブジェクト（ＶＯＢ）内のビデオデータの再生終了時間とビデオオブジェクト内のオーディオデータの再生終了時間が記述されることになるが、ビデオオブジェクト内のビデオデータの再生終了時間とビデオオブジェクト（ＶＯＢ）内のオーディオデータの再生終了時間は、ビデオデータとオーディオデータをリアルタイムでエンコードしながらパックを生成していくと不定となるようなことが起こり、したがって、リアルタイム記録することができない。
【００６２】
そこで、本発明の第１の実施の形態が適用された光ディスク記録再生装置１２では、パック化を行う場合に、エンコード時間情報処理部６６がキー操作及び表示部４からのキー操作入力に基づいてエンコード時間を生成し、システムプロセッサ部５４のパック生成処理部５４Ｃにおいてそのエンコード時間を参照しながら、ナビゲーションパック８６内のビデオデータの再生終了時間とビデオオブジェクト（ＶＯＢ）内のオーディオデータの再生終了時間を記述するようにしている。
【００６３】
このような方法によれば、ビデオデータ及びオーディオデータをリアルタイムでエンコードしながら、ビデオオブジェクトユニット８５を再生するための再生制御情報（ＰＣＩ）及び他のビデオオブジェクトユニット８５をサーチするのに必要なデータサーチ情報（ＤＳＩ）をパック化したナビゲーションパック８６を構成でき、エンコードと同時に当該ナビゲーションパック８６をリアルタイムで光ディスク１０に記録することが可能となる。
【００６４】
すなわち、第１の実施の形態によれば、ビデオデータ及びオーディオデータをリアルタイムでエンコードしながら、ビデオオブジェクトユニット８５を再生するための再生制御情報（ＰＣＩ）及び他のビデオオブジェクトユニット８５をサーチするのに必要なデータサーチ情報（ＤＳＩ）をパック化したナビゲーションパック８６を、エンコードと同時に光ディスク１０に記録できるため、記録が終了した直後に必要な情報をサーチし再生することが可能となる。また、圧縮符号化終了時間を記憶しておくメモリも節約することができる。
【００６５】
なお、キー操作及び表示部４からのキー操作による、エンコード時間の一例としては、例えば、所定のキーを１回押す毎に５分、１０分、１５分、・・・・或いは、３０分、１時間、１時間３０分、・・・のように、順次増加するような時間を考えることができる。また、例えば、キー操作及び表示部４が０〜９までの１０個のキーからなるいわゆる１０キーを備えている場合には、当該１０キーによって任意のエンコード時間を設定することが可能である。
【００６６】
さらに、ナビゲーションパック８６には、ＭＰＥＧにおけるリファレンスピクチャであるＩピクチャの終了アドレスが記述されことになるが、ビデオデータとオーディオデータをリアルタイムでエンコードしながらパックを生成する場合、ピクチャ単位の符号化量が指定できないため、当該ナビゲーションパック８６に上記リファレンスピクチャの終了アドレスをリアルタイムに記録することができない。すなわち、前述したように、データサーチ情報（ＤＳＩ）パケット後の最初のリファレンスピクチャ（Ｉピクチャ）の終了アドレス、データサーチ情報（ＤＳＩ）パケット後の２番目のリファレンスピクチャ（Ｉピクチャ又はＰピクチャ）の終了アドレス、データサーチ情報（ＤＳＩ）パケット後の３番目のリファレンスピクチャ（Ｉピクチャ又はＰピクチャ）の終了アドレスを、リアルタイムにナビゲーションパック８６に記録することができない。
【００６７】
そこで、第１の実施の形態では、パック化を行う場合に、エンコード情報生成部８１が例えばキー操作及び表示部４からのキー操作入力に基づいてリファレンスピクチャ終了予定サイズを生成し、システムプロセッサ部５４のパック生成処理部５４Ｃにおいてそのリファレンスピクチャ終了予定サイズを参照しながら、ナビゲーションパック８６内のリファレンスピクチャ終了アドレスを記述するようにしている。
【００６８】
このような方法によれば、ビデオデータ及びオーディオデータをリアルタイムでエンコードしながら、ビデオオブジェクトユニット８５を再生するために必要となるリファレンスピクチャ終了アドレスをパック化したナビゲーションパック８６をリアルタイムで構成でき、エンコードと同時に当該ナビゲーションパック８６を光ディスク１０に記録することが可能となる。
【００６９】
すなわち、本発明の第１の実施の形態が適用された光ディスク記録再生装置１２によれば、ビデオデータ及びオーディオデータをリアルタイムでエンコードしながら、リファレンスピクチャ終了アドレスをパック化したナビゲーションパック８６を、エンコードと同時に光ディスク１０に記録できるため、記録が終了した直後に必要な情報をサーチし再生することが可能となる。また、圧縮符号化終了時間を記憶しておくメモリも節約することができる。
【００７０】
上述したようなセルＩＤ情報処理部６５によるセル記録可能時間（セル単位記録時間）の設定と、エンコード時間情報処理部６６によるエンコード時間の設定と、エンコード情報生成部８１によるリファレンスピクチャ終了アドレスの設定とは、それぞれ別々に行うことも、あるいは同時若しくは何れかを組み合わせて行うことも可能であり、また、本発明の第１の実施が適用された光ディスク記録再生装置１２は、それらセルＩＤ情報処理部６５とエンコード時間情報処理部６６とビデオエンコード情報生成部８１の全てを備える場合のみならず、何れか若しくはその組み合わせを備えるような構成であってもよい。
【００７１】
なお、上述したデータ構造は、光ディスク等の記録媒体に記録する場合に限らず、図１１に示すような通信系にも適用することができる。すなわち、上述した手順で生成された物理データがモジュレータ／トランスミッター３１０によって電波或いはケーブルでユーザ或いはケーブル加入者側に送られても良い。また、図１に示した光ディスク記録再生装置１２によって放送局等のプロバイダー側でエンコードされたデータが作成され、このエンコードデータが同様にモジュレータ／トランスミッター３１０によって電波或いはケーブルでユーザ或いはケーブル加入者側に送られても良い。
【００７２】
上述した説明においては、ビデオオブジェクトユニットは、ビデオ、オーディオ及び副映像を含むデータ列として説明したが、ビデオ、オーディオ及び副映像のいずれかが含まれれば良く、オーディオパックのみ或いは副映像パックのみで構成されても良い。
【００７３】
次に、本発明の第２の実施の形態について説明する。この第２の実施の形態が適用された光ディスク記録再生装置の構成は、上述した第１の実施の形態が適用された光ディスク記録再生装置と基本的に同じであり、以下の説明では異なる部分のみ説明する。
【００７４】
この第２の実施の形態では、少なくともビデオデータを含む一つ以上の信号を圧縮符号化しパック化する際に、エンコード後のビデオオブジェクトのビットレート（Bit Rate）と、ファイルシステムが管理する記録媒体の残量を参照しながら、ナビゲーションパック内のビデオデータ等の再生終了時間を設定するものである。すなわち、当該第２の実施の形態では、パック生成処理部５４Ｃにおいて、ナビゲーションパック８６に記録されるビデオオブジェクト（ＶＯＢ）内のビデオデータの再生終了時間とビデオオブジェクト内のオーディオデータの再生終了時間を、光ディスク１０に記録されているファイルシステムから得た当該光ディスク１０の記録可能容量（Free Space Size ）、１秒間に記録されるビデオフレーム数（Frame Rata、例えばＮＴＳＣの場合は３０、ＰＡＬの場合は２５）、ビデオタイトルセット（ＶＴＳ）が幾つかのビデオオブジェクト（ＶＯＢ）から構成されるかを示す係数（Vts Factor≦２５５）と、エンコード情報処理部５９から得たビットレート（Bit Rate）、ＧＯＰが幾つのビデオフレームから構成されるかを示す係数（GOP Factor）とに基づいて設定するようにしている。なお、エンコード情報処理部５９が発生するビットレート（Bit Rate）とＧＯＰが幾つのビデオフレームから構成されるかを示す係数（GOP Factor）は、例えば予め設定しておくことも、また、キー操作及び表示部４からのキー操作入力に基づいて個々に演算により求めることも可能である。係数（GOP Factor）は、前述した１ＧＯＰを構成する画像の枚数のことであり、ＭＰＥＧではＮ値と呼ばれている。また、ファイルシステムについては、特開平８−２６３９６９号公報等に詳細な技術が開示されているため、その説明については省略する。さらに、係数（Vts Factor）は、ＶＴＳを構成するビデオオブジェクトの数で、いわゆるＤＶＤ−ビデオ規格では、最大２５５として定義されている。この係数（Vts Factor）が大きいほど、ディスク記録領域が有効利用できるので、デフォルト値として（Vts Factor＝２５５）を設定することになる。
【００７５】
ここで、ビデオオブジェクト（ＶＯＢ）は、前述したように複数のビデオオブジェクトユニット８５から構成されるが、当該ビデオオブジェクト（ＶＯＢ）が幾つのビデオオブジェクトユニット８５から構成されるかを示す係数（Vob Factor）は、以下の式を満たす最大の正の整数として決定される。すなわち、ビデオオブジェクトが幾つのユニットから構成されるかを示す係数（Vob Factor）をＶＯＦで表し、記録媒体の記録可能容量（Free Space Size ）をＦＳＳ、１秒間に記録されるビデオフレーム数（Frame Rata）をＦＲ、ビデオタイトルセット（ＶＴＳ）が幾つかのビデオオブジェクト（ＶＯＢ）から構成されるかを示す係数（Vts Factor）をＶＴＦ、エンコード情報処理部５９から得たビットレート（Bit Rate）をＢＲ、ＧＯＰが幾つのビデオフレームから構成されるかを示す係数（GOP Factor）をＧＦで表したとき、ＶＯＦは、以下の式を満たす最大の正の整数として決定される。
【００７６】
ＶＯＦ≦( ＦＳＳ×ＦＲ)/( ＶＴＦ×ＢＲ×ＧＦ）
また、ビデオデータ等の再生終了時間は、以下の式にて決定される。
ＶＯＦ×（ＧＦ／ＦＲ）
【００７７】
この第２の実施の形態が適用された光ディスク記録再生装置によれば、第１の実施の形態が適用された光ディスク記録再生装置と同様に、ビデオデータ及びオーディオデータをリアルタイムでエンコードしながら、ビデオオブジェクトユニット８５を再生するための再生制御情報（ＰＣＩ）及び他のビデオオブジェクトユニット８５をサーチするのに必要なデータサーチ情報（ＤＳＩ）をパック化したナビゲーションパック８６を構成でき、エンコードと同時に当該ナビゲーションパック８６をリアルタイムで光ディスク１０に記録することが可能となる。
【００７８】
さらに、第２の実施の形態が適用された光ディスク記録再生装置によれば、例えばいわゆるタイマ予約のように予め記録時間を設定しておくような場合に、無駄な情報が付加されることなく、光ディスク１０への記録が可能となる。すなわち、タイマ予約のように予め記録時間を設定しておくと、例えばタイマ予約がなされている時にユーザがその設定時間より早く記録を止めたような場合、最後のビデオオブジェクトにはその設定時間分の無駄なデータが記録されてしまうが、当該第２の実施の形態が適用された光ディスク記録再生装置ではそのようなことが無くなり、ユーザが複雑な設定をすることなく、効率的に記録することが可能となる。
【００７９】
【発明の効果】
以上の通り、本発明に係るデータ生成方法及び装置を用いれば、特殊再生が可能なデータを検索して再生するために使用される検索情報を、記録データのエンコードを行いつつリアルタイムに作成できると共に記録媒体に記録可能となり、したがって、例えば記録が終了した直後に必要な情報を検索して再生することが可能となり、また、再生終了時間を記憶しておくためのメモリも節約可能である。
【図面の簡単な説明】
【図１】本発明の一実施の形態を適用した光ディスク記録再生装置の概略を示すブロック図である。
【図２】ディスクドライブ部の機構部の詳細を示すブロック図である。
【図３】ディスクドライブ部に装填される光ディスクの構造を概略的に示す斜視図である。
【図４】光ディスクの論理フォーマットの構造を示す図である。
【図５】ビデオマネージャーの構造を示す図である。
【図６】ビデオオブジェクトセット（ＶＯＢＳ）の構造の例を示す図である。
【図７】ビデオオブジェクトユニットの構造を示す説明図である。
【図８】ビデオタイトルセットの構造を示す説明図である。
【図９】ナビゲーションパックの構造を示す説明図である。
【図１０】ビデオ、オーディオ、副映像パックの構造を示す説明図である。
【図１１】ビデオタイトルセットを通信系を介して転送するシステムを示す概略図である。
【符号の説明】
４…キー操作及び表示部、６…モニタ部、８…スピーカ部、１０…光ディスク、１１…モータドライブ回路、１２…光ディスク記録再生装置、１３…スピンドルモータ、１４…透明基板、１６…光反射層、１８…複合ディスク層、２０…接着層、２２…中心孔、２４…クランピング領域、２５…情報領域、２６…リードアウトエリア、２７…リードインエリア、２８…データ記録領域、３０…ディスクドライブ部、３２…光学ヘッド、３３…フィードモータ、３４…レンズ、３６…フォ―カス回路、３７…フィードモータ駆動回路、３８…トラッキング回路、４０…ヘッドアンプ、４４…サーボ処理回路、５０…システムＣＰＵ部、５１…時計部、５２…システム用ＲＯＭ・ＲＡＭ部、５３…オーディオ入力端子、５４…システムプロセッサ部、５４Ａ…システムタイムクロック、５４Ｂ…レジスタ、５４Ｃ…パック生成処理部、５５…ビデオ入力端子、５６…データＲＡＭ部、５８…ビデオデコーダ部、５８Ａ…ビデオデコーダ用ＳＴＣ、５９…エンコード情報処理部、６０…オーディオデコーダ部、６０Ａ…オーディオデコーダ用ＳＴＣ、６２…副映像デコーダ部、６２Ａ…副映像デコーダ用ＳＴＣ、６３…Ａ／Ｄ処理部、６４…Ｄ／Ａ及びデータ再生処理部、６５…セルＩＤ情報処理部、６６…エンコード時間情報処理部、６７…ビデオエンコーダ部、６７Ａ…ビデオエンコーダ用ＳＴＣ、６８…オーディオエンコーダ部、６８Ａ…オーディオエンコーダ用ＳＴＣ、６９…副映像エンコーダ部、６９Ａ…副映像エンコーダ用ＳＴＣ、７０…ボリューム及びファイル構造領域、７１…ビデオマネージャー、７２…ビデオタイトルセット、７３…他の記録領域、７４…ファイル、７５…ビデオマネージャー情報（ＶＭＧＩ）、７６…ＶＭＧＭビデオオブジェクトセット（ＶＭＧＭ＿ＶＯＢＳ）、７７…ビデオマネージャー情報のバックアップ（ＶＭＧＩ＿ＢＵＰ）、８１…ビデオエンコード情報生成部、８２…ビデオオブジェクトセット（ＶＯＢＳ）、８３…ビデオオブジェクト（ＶＯＢ）、８４…セル、８５…ビデオオブジェクトユニット（ＶＯＢＵ）、８６…ナビゲーションパック（ＮＡＶパック）、８８…ビデオパック（Ｖパック）、９０…副映像パック（ＳＰパック）、９１…オーディオパック（Ａパック）、９４…ビデオタイトルセット情報（ＶＴＳＩ）、９５…ＶＴＳＭ用のビデオオブジェクトセット（ＶＴＳＭ＿ＶＯＢＳ）、９６…ＶＴＳＴＴ用のビデオオブジェクトセット（ＶＴＳＴＴ＿ＶＯＢＳ）、９７…情報のバックアップ（ＶＴＳＩ＿ＢＵＰ）、９８…ビデオタイトルセット情報管理テーブル（ＶＴＳＩ＿ＭＡＴ）、９９…ＶＴＳダイレクトアクセスポインタテーブル（ＶＴＳ＿ＤＡＰＴ）、１００…ＶＴＳプログラムチェーン情報テーブル（ＶＴＳ＿ＰＧＣＩＴ）、１０１…ＶＴＳタイムサーチマップテーブル（ＶＴＳ＿ＭＡＰＴ）、１１０…パックヘッダ、１１１…システムヘッダ、１１２、１１４…パケットヘッダ、１１３…ＰＣＩデータ（ＰＣＩ）、１１５…ＤＳＩデータ（ＤＳＩ）、１１６…再生制御情報（ＰＣＩ）パケット、１１７…データサーチ情報（ＤＳＩ）パケット。
【図１】
0003714554.tif 000002
【図２】
0003714554.tif 000003
【図３】
0003714554.tif 000004
【図４】
0003714554.tif 000005
【図５】
0003714554.tif 000006
【図６】
0003714554.tif 000007
【図７】
0003714554.tif 000008
【図８】
0003714554.tif 000009
【図９】
0003714554.tif 000010
【図１０】
0003714554.tif 000011
【図１１】
0003714554.tif 000012